(57)【要約】      （修正有）【課題】  フレーム同期回路のフレーム非同期信号を用いずに、信号の再引き込みから同期判定までの時間を大幅に短縮出来るようにすること、及び、復調器単独で、すべての疑似引き込みの検出を行うことが出来るようすることにある。【解決手段】  フレーム同期回路のフレーム非同期信号を用いずに、復調器のみで擬似引き込みを検出する。又、全ての擬似引き込みを検出するために、受信信号領域判定回路にて受信信号の信号点位置を用いて疑似引き込みの検出を行い、更にＡＰＣ信号領域判定回路にて再生ＰＬＬ回路のＡＰＣ信号を用いて疑似引き込みの検出を行う。【選択図】図１
2006157186.tif 000002
【特許請求の範囲】
【請求項１】
擬似引き込み検出装置であって、
直交変換されたディジタル信号と基準信号との位相差を検出して位相制御信号を生成し、この位相制御信号に基づいて再生信号を生成する再生部と、
前記再生信号に基づいて、擬似引き込み状態を検出する第１の擬似引き込み検出部と、
前記再生部で生成された位相制御信号に基づいて、擬似引き込み状態を検出する第２の擬似引き込み検出部と
を有することを特徴とする擬似引き込み検出装置。
【請求項２】
前記第１の擬似引き込み検出部は、前記再生信号が再生信号点配置面上の第１の領域に存在する割合又は第２の領域に存在する割合を求めて、擬似引き込み状態を検出し、
前記第２の擬似引き込み検出部は、前記位相制御信号が位相制御信号点配置面上の特定領域に存在するか否かを判定して、擬似引き込み状態を検出することを特徴とする請求項１に記載の擬似引き込み検出装置。
【請求項３】
前記再生信号に基づいてＣ／Ｎ値を算出し、予め定められたＣ／Ｎ値と比較するＣ／Ｎ算出部と、
前記Ｃ／Ｎ算出部の比較結果と、前記第１の擬似引き込み検出部の検出結果と、前記第２の擬似引き込み検出部の検出結果とに基づいて、前記再生信号の同期、非同期状態を検出する同期・非同期検出部と
を有することを特徴とする請求項１又は請求項２に記載の擬似引き込み検出装置。
【請求項４】
前記同期・非同期検出部が非同期状態を検出した場合、前記再生部にリセット信号を出力するリセット信号発生部を有することを特徴とする請求項３に記載の擬似引き込み検出装置。
【請求項５】
前記再生部は、
前記再生信号と前記基準信号との位相差を検出し、再生信号が基準信号と比較して進んでいるか遅れているかを示す位相誤差信号を出力する位相差検出部と、
前記位相差検出部からの位相誤差信号の高周波成分を取り除いて位相制御信号を出力するループフィルタと、
前記ループフィルタからの位相制御信号を角度に対する値に変換して、その角度に応じた余弦値及び正弦値を制御角情報として出力する制御発振部と、
前記制御発振部からの制御角情報に基づいて、前記再生信号に対して位相回転制御を行う位相回転制御部と
を有することを特徴とする請求項１から請求項４のいずれかに記載の擬似引き込み検出装置。
【請求項６】
受信した変調信号を、互いに直交するベースバンド信号に変換する直交変換部と、
前記ベースバンド信号をディジタル信号に変換するアナログ・ディジタル変換部と
を有することを特徴とする請求項１から請求項５のいずれかに記載の擬似引き込み検出装置。
【請求項７】
復調器であって、
直交変換されたディジタル信号と基準信号との位相差を検出して位相制御信号を生成し、この位相制御信号に基づいて再生信号を生成する再生部と、
前記再生信号に基づいて、擬似引き込み状態を検出する第１の擬似引き込み検出部と、
前記再生部で生成された位相制御信号に基づいて、擬似引き込み状態を検出する第２の擬似引き込み検出部と
を有することを特徴とする復調器。
【発明の詳細な説明】
【技術分野】
【０００１】
本発明は、擬似引き込み検出装置に関し、特に、復調器における信号の擬似引き込みを検出する擬似引き込み検出装置に関する。
【背景技術】
【０００２】
マイクロ波ディジタル無線通信システムにおける復調器の第１の従来技術として、図６に示すものがある。
【０００３】
図６に示すような従来の復調器において、入力信号の同期・非同期の検出を、Ｃ／Ｎ推定回路５８のみを使用して検出していた。しかしながら、このような従来の復調器では、信号が疑似引き込みを起こした場合、Ｃ／Ｎ推定回路５８は、その回路の性質上、すべての疑似引き込みの検出を行うことができない。そのため、復調器の後段にあるフレーム同期回路６１のフレーム非同期信号１６３を使用して疑似引き込みの検出を行っていた。
【０００４】
また、信号が擬似引き込み状態時、信号の再引き込みから同期判定までの時間を短縮する第２の従来技術がある（例えば、特許文献１）。
【０００５】
第２の従来技術では、信号の同期・非同期の検出を上記第１の従来技術と同様にＣ／Ｎ推定回路で行い、信号の擬似引き込みの検出を領域判定時回路を用いて検出を行っていた。
【特許文献１】特開平２００３−００７８３８
【発明の開示】
【発明が解決しようとする課題】
【０００６】
しかしながら、第１の従来技術の復調器を用いた場合、フレーム非同期信号１６３の発動及び解除時間が、Ｃ／Ｎ推定回路５８によるＣ／Ｎ
ＡＬＡＲＭ信号１６２の発動及び解除時間に比べて、フレーム単位で同期を取る分だけ時間がかかってしまうので、受信信号が正常な状態に復旧し、その後に、同期判定をするまでに多大な時間を必要としていた。
【０００７】
又、第２の従来技術の復調器を用いた場合、領域判定回路は、受信信号の信号点位置でのみ信号の疑似引き込みの検出を行うため、図３の（ａ）のような、入力信号の±ｆｓ／８及び±ｆｓ／１２ずれ疑似引き込み検出を行うことはできるが、図３の（ｂ）のような±ｎ
＊ｆｓ／４（ｎ＝１，２・・・）ずれの疑似引き込みの検出を行うことができなかった。尚、ｆｓは変調速度である。
【０００８】
そこで、本発明の目的は上記問題点を鑑みて発明されたものであって、フレーム同期回路のフレーム非同期信号を用いずに、入力信号の再引き込みから同期判定までの時間を大幅に短縮出来るようにすることにある。
【０００９】
また、復調器単独で、すべての疑似引き込みの検出を行うことが出来るようすることにある。
【課題を解決するための手段】
【００１０】
上記課題を解決するための第１の発明は、
擬似引き込み検出装置であって、
直交変換されたディジタル信号と基準信号との位相差を検出して位相制御信号を生成し、この位相制御信号に基づいて再生信号を生成する再生部と、
前記再生信号に基づいて、擬似引き込み状態を検出する第１の擬似引き込み検出部と、
前記再生部で生成された位相制御信号に基づいて、擬似引き込み状態を検出する第２の擬似引き込み検出部と
を有することを特徴とする。
【００１１】
上記課題を解決するための第２の発明は、上記第１の発明において、
前記第１の擬似引き込み検出部は、前記再生信号が再生信号点配置面上の第１の領域に存在する割合又は第２の領域に存在する割合を求めて、擬似引き込み状態を検出し、
前記第２の擬似引き込み検出部は、前記位相制御信号が位相制御信号点配置面上の特定領域に存在するか否かを判定して、擬似引き込み状態を検出することを特徴とする。
【００１２】
上記課題を解決するための第３の発明は、上記第１又は第２の発明において、
前記再生信号に基づいてＣ／Ｎ値を算出し、予め定められたＣ／Ｎ値と比較するＣ／Ｎ算出部と、
前記Ｃ／Ｎ算出部の比較結果と、前記第１の擬似引き込み検出部の検出結果と、前記第２の擬似引き込み検出部の検出結果とに基づいて、前記再生信号の同期、非同期状態を検出する同期・非同期検出部と
を有することを特徴とする。
【００１３】
上記課題を解決するための第４の発明は、上記第３の発明において、
前記同期・非同期検出部が非同期状態を検出した場合、前記再生部にリセット信号を出力するリセット信号発生部を有することを特徴とする。
【００１４】
上記課題を解決するための第５の発明は、上記第１から第４のいずれかに記載の発明において、
前記再生部は、
前記再生信号と前記基準信号との位相差を検出し、再生信号が基準信号と比較して進んでいるか遅れているかを示す位相誤差信号を出力する位相差検出部と、
前記位相差検出部からの位相誤差信号の高周波成分を取り除いて位相制御信号を出力するループフィルタと、
前記ループフィルタからの位相制御信号を角度に対する値に変換して、その角度に応じた余弦値及び正弦値を制御角情報として出力する制御発振部と、
前記制御発振部からの制御角情報に基づいて、前記再生信号に対して位相回転制御を行う位相回転制御部と
を有することを特徴とする。
【００１５】
上記課題を解決するための第６の発明は、上記第１から第５のいずれかの発明において、
受信した変調信号を、互いに直交するベースバンド信号に変換する直交変換部と、
前記ベースバンド信号をディジタル信号に変換するアナログ・ディジタル変換部と
を有することを特徴とする。
【００１６】
上記課題を解決するための第７の発明は、
復調器であって、
直交変換されたディジタル信号と基準信号との位相差を検出して位相制御信号を生成し、この位相制御信号に基づいて再生信号を生成する再生部と、
前記再生信号に基づいて、擬似引き込み状態を検出する第１の擬似引き込み検出部と、
前記再生部で生成された位相制御信号に基づいて、擬似引き込み状態を検出する第２の擬似引き込み検出部と
を有することを特徴とする。
【発明の効果】
【００１７】
本発明によると、フレーム同期回路のフレーム非同期信号を用いずに済み、搬送波の再引き込みから同期判定までの時間を大幅に短縮することができるようになる。
【００１８】
更に、受信信号領域判定回路１２が受信信号の信号点位置を用いて疑似引き込みの検出を行い、更にＡＰＣ信号領域判定回路８が搬送波再生ＰＬＬ回路のＡＰＣ信号を用いて疑似引き込みの検出を行うため、すべての疑似引き込みの検出を行うことができる。即ち、復調器単独で、疑似引き込みの検出を行うことができるようになる。
【発明を実施するための最良の形態】
【００１９】
本発明の実施の形態について説明する。以下、本発明の説明において、変調方式はＱＰＳＫ（Quadrature Phase Shift
Keying）、ＱＡＭ（Quadrature Amplitude Modulation）等の直交変調方式を、復調器の検波方式は準同期検波方式を想定する。また、互いに直交するベースバンド成分の表記として、一般的なＩｃｈ、Ｑｃｈという表記を用いるものとする。
【００２０】
図１は、本発明における実施の形態を示す復調器のブロック図である。
【００２１】
本発明の復調器は、直行検波器１、発振器２、アナログ・ディジタル変換器（Ａ／Ｄ）３、及び擬似引き込み検出装置を有する。そして、この擬似引き込み検出装置は、位相回転器４、搬送波位相検波器（ＣＡＲＲ
ＰＤ）５、搬送波ループフィルタ（ＣＡＲＲ ＬＰＦ）６、数値制御発振器７、ＡＰＣ（Automatic Phase
Control）信号領域判定回路８、Ｃ／Ｎ推定回路９、同期・非同期検出回路１０、間欠リセット信号発生回路１１、及び受信信号領域判定回路１２を有する。
【００２２】
直交検波器１と発振器２とにより、受信した変調信号、即ち、復調器に入力される入力中間周波数信号（ＩＦＩＮ）１０１は、ベースバンド信号Ｉｃｈ１０３及びＱｃｈ１０４に変換される。尚、本発明の復調器の発振器２は、再生搬送波を出力するものであり、送信機側の変調器における再生搬送波を出力する発振器に近い周波数で自走している。
【００２３】
Ａ／Ｄ３は、以降の処理をディジタルで行うために、アナログ信号Ｉｃｈ１０３をディジタル信号Ｉｃｈ１０５に、アナログ信号Ｑｃｈ１０４をディジタル信号Ｑｃｈ１０６に変換する。
【００２４】
位相回転器４は、ディジタル信号Ｉｃｈ１０５及びＱｃｈ１０６に残っている位相回転に対して、ディジタル信号処理により位相回転制御を行い、再生信号Ｉｃｈ１０７及びＱｃｈ１０８を出力する。これは、上述した通り、本発明の復調器の発振器２は、変調器の発振器に近い周波数で自走しているが、変調器の発振器と復調器の発振器との間に差分として周波数の位相回転が残っている。そこで、位相回転器４は、数値制御発振器７からの信号に基づいて、この位相回転に対して、ディジタル信号処理により逆回転を与えることで、信号を収束させて同期をとるものである。
【００２５】
ＣＡＲＲ ＰＤ５は、正常状態である時の信号を基準信号として保持しており、この基準信号とＣＡＲＲ
ＰＤ５に入力された再生信号Ｉｃｈ１０７及びＱｃｈ１０８との位相差を検出し、入力された再生信号Ｉｃｈ１０７及びＱｃｈ１０８の位相が進んでいるか遅れているかを示す位相誤差信号１１７を出力する。ＣＡＲＲ
ＰＤ５は、入力された再生信号Ｉｃｈ１０７及びＱｃｈ１０８の位相がすすんでいるか遅れているかが分かればよいので、例えば、位相が進んでいれば＋１を、遅れていれば−１を出力するものでもよいし、位相の遅れ進みの大小に応じた連続の値を出力するものでもよい。
【００２６】
ＣＡＲＲ ＬＰＦ６は、ＣＡＲＲ ＰＤ５が出力した位相誤差信号１１７から高周波成分を取り除いてＣＡＲＲ
ＡＰＣ信号１１８を出力する。
【００２７】
数値制御発振器７は、ＣＡＲＲ ＬＰＦ６から出力されるＣＡＲＲ ＡＰＣ信号１１８を角度に対応する値に変換し、その角度に応じたｃｏｓ（余弦）及びｓｉｎ（正弦）の値を回転角制御情報として位相回転器４に出力する。回転角制御情報ｃｏｓ１１９、Ｓｉｎ１２０は、ＣＡＲＲ
ＡＰＣ信号１１８が表す周波数の正弦波となる。従って、ＣＡＲＲ ＡＰＣ信号１１８は、回転角制御情報ｃｏｓ１１９、Ｓｉｎ１２０の周波数成分を示している。
【００２８】
Ｃ／Ｎ推定回路９は、再生信号Ｉｃｈ１０７及びＱｃｈ１０８を使って、受信信号の推定Ｃ／Ｎ（Ｃａｒｒｉｅｒ／Ｎｏｉｓｅ）値を求めて、予め設定されているＣ／Ｎ閾値１１１と比較する。比較の結果、Ｃ／Ｎ閾値１１１よりも推定Ｃ／Ｎ値が低い場合には、再生信号Ｉｃｈ１０７及びＱｃｈ１０８は非同期状態にあると判断し、Ｃ／Ｎ
ＡＬＡＲＭ信号１１２を出力する。尚、推定Ｃ／Ｎ値の求め方は、例えば、再生信号Ｉｃｈ１０７及びＱｃｈ１０８のそれぞれの分散を求めた後、それらの加算を行い、雑音電力を求めて、推定Ｃ／Ｎ値を算出するといったような方法を用いてもよい。
【００２９】
従来の復調器では、信号の同期・非同期の検出を、このＣ／Ｎ推定回路９を使用して検出していた。しかしながら、Ｃ／Ｎ推定回路９で設定するＣ／Ｎ閾値１１１の値によっては、信号の同期特性が変化する可能性がある。例えば、今、Ｃ／Ｎ閾値１１１を信号の同期状態での推定Ｃ／Ｎ値に近い値に設定したとする。この時、雑音が加わって推定Ｃ／Ｎ値が低下したとすると、同期状態であるにもかかわらずＣ／Ｎ推定回路９は非同期状態だと判定してしまい、Ｃ／Ｎ
ＡＬＡＲＭ信号１１２を出力してしまうため、ＣＡＲＲ ＬＰＦ６に間欠リセット信号がかかってしまい、信号が外れやすく不安定な状態となる。一方、Ｃ／Ｎ閾値１１１を低く設定した場合、疑似引込みの状態でも、同期状態だと判定してしまい、Ｃ／Ｎ
ＡＬＡＲＭ信号１１２が出力されないため、復調器単独での疑似引き込みの検出は難しく、後段のフレーム同期回路によるフレーム非同期信号を用いて疑似引き込みの検出を行わなければならない。そこで、本発明では、信号の疑似引込みを検出するための回路として、受信信号領域判定回路１２とＡＰＣ領域判定回路８とが復調器に構成されている。
【００３０】
受信信号領域判定回路１２は、例えば、ＱＰＳＫにおいて、図２に示す位相平面図のＡ領域又はＢ領域に一定時間、再生信号Ｉｃｈ１０７及びＱｃｈ１０８がいる割合を求め、Ｂ領域にいる割合がある一定以上ならば、再生信号Ｉｃｈ１０７及びＱｃｈ１０８は疑似引き込み状態であると判定し、疑似引き込み検出信号１１３を出力する。通常、変調速度をｆｓ、変調方式をＱＰＳＫとすると、図４に示すように、ＱＰＳＫにおいて、信号が正常状態の場合には、信号は●の地点で引き込むが、信号に対してΔｆ＝ｆｓ／８で引き込んだ場合には、信号×の地点で引き込みが安定してしまう。そこで、受信信号領域判定回路１２は、図２に示すような正常時の受信信号の信号点位置を中心とするＡ領域と、疑似引き込み時に受信信号の信号点が存在すると思われるＢ領域とに領域分けを行い、Ａ領域又はＢ領域に一定時間に再生信号Ｉｃｈ１０７及びＱｃｈ１０８がいる割合を求め、再生信号Ｉｃｈ１０７及びＱｃｈ１０８が疑似引き込み状態であるかを判定している。
【００３１】
しかしながら、受信信号領域判定回路１２は、再生信号Ｉｃｈ１０７及びＱｃｈ１０８の信号点位置でのみ疑似引き込みの検出を行うため、図３の（ａ）のような再生信号Ｉｃｈ１０７及びＱｃｈ１０８の±ｆｓ／８及び±ｆｓ／１２ずれ疑似引き込み検出を行うことはできるが、図３の（ｂ）のような±ｎ
＊ｆｓ／４（ｎ＝１，２・・・）ずれの疑似引き込みの検出を行うことができない。そこで、本発明では、±ｎ ＊ｆｓ／４（ｎ＝１，２・・・）ずれの疑似引き込みの検出を行うために、ＡＰＣ信号領域判定回路８が復調器に構成されている。尚、ｆｓは変調速度である。
【００３２】
ＡＰＣ信号領域判定回路８は、ＣＡＲＲ ＡＰＣ信号１１８がある特定の範囲にいる割合が多い時に、疑似引き込みをしていると判断し、疑似引き込み検出信号１１４を発生させる回路である。ここで、ある特定範囲について説明する。図５は、ＣＡＲＲ
ＬＰＦ６からのＣＡＲＲ ＡＰＣ信号１１８を表す図である。再生信号Ｉｃｈ１０７及びＱｃｈ１０８の±ｎ ＊ｆｓ／４(ｎ＝１，２・・・)ずれの疑似引き込み状態において、図５の斜線部分ではＣＡＲＲ
ＡＰＣ信号１１８の値が安定している。そのため、この斜線部分の範囲にいるＣＡＲＲ ＡＰＣ信号１１８の割合を求めることにより、±ｎ ＊ｆｓ／４(ｎ＝１，２・・・)ずれの疑似引き込み検出を行う。
【００３３】
同期・非同期検出回路１０は、Ｃ／Ｎ推定回路９で求めたＣ／Ｎ ＡＬＡＲＭ信号１１２と、受信信号領域判定回路１２で求めた疑似引き込み検出信号１１３と、ＡＰＣ信号領域判定回路８で求めた疑似引き込み信号１１４とのＯＲ（論理和）をとり、非同期検出信号１１５を出力するものである。即ち、同期・非同期検出回路１０は、再生信号Ｉｃｈ１０７及びＱｃｈ１０８が同期状態であり、尚且つ擬似引き込みが発生していない状態以外の場合に、非同期検出信号１１５を出力する。
【００３４】
間欠リセット信号発生回路１１は、一定周期でリセットパルスを発生させる回路である。間欠リセット信号発生回路１１は、同期・非同期検出回路１０で発生した非同期検出信号１１５を受信した時に、ＣＡＲＲ
ＬＰＦ７に間欠リセット信号１１６を送り、間欠リセットをかける。
【００３５】
続いて、本発明の動作について説明する。
【００３６】
発振器２と直交検波器１とによって、入力信号ＩＦＩＮ１０１は、互いに直交する２つのベースバンド成分であるベースバンド信号Ｉｃｈ１０３及びＱｃｈ１０４に変換される。
【００３７】
ベースバンド信号Ｉｃｈ１０３、Ｑｃｈ１０４は、Ａ／Ｄ３でディジタル信号Ｉｃｈ１０５及び、Ｑｃｈ１０６に変換される。
【００３８】
再生信号Ｉｃｈ１０７及びＱｃｈ１０８の生成（同期の確立）は、位相回転器４、ＣＡＲＲ ＰＤ５、ＣＡＲＲ
ＬＰＦ６、及び数値制御発振器７から構成される再生ＰＬＬ回路（準同期回路）で行われるが、詳細な説明は、本発明に直接関係ないため省略する。
【００３９】
本発明の中心である再生信号Ｉｃｈ１０７及びＱｃｈ１０８の同期、非同期の検出は、Ｃ／Ｎ推定回路９、受信信号領域判定回路１２、ＡＰＣ領域判定回路８、及び同期・非同期検出回路１０で行っており、以下にその説明を行う。
【００４０】
Ｃ／Ｎ推定回路９は、再生信号Ｉｃｈ１０７及びＱｃｈ１０８を使って、受信信号の推定Ｃ／Ｎ値を求めて、予め設定されているＣ／Ｎ閾値１１１と比較し、Ｃ／Ｎ閾値１１１よりも推定Ｃ／Ｎ値が低い場合には、再生信号Ｉｃｈ１０７及びＱｃｈ１０８は非同期状態にあると判断し、Ｃ／Ｎ
ＡＬＡＲＭ信号１１２を出力する。
【００４１】
受信信号領域判定回路１２は、例えば、ＱＰＳＫにおいて、図２に示すように、正常時の受信信号の信号点位置を中心とするＡ領域、疑似引き込み時に受信信号の信号点が存在すると思われるＢ領域とに領域分けを行い、一定時間、受信信号である再生信号Ｉｃｈ１０７及びＱｃｈ１０８がＡ領域又はＢ領域にいる割合を求め、Ｂ領域にいる割合がある一定以上ならば、疑似引き込み状態であると判定し、疑似引き込み検出信号１１３を出力する。
【００４２】
しかしながら、上述した通り、受信信号領域判定回路１２は、受信信号の信号点位置でのみ疑似引き込みの検出を行うため、図３の（ａ）のような再生信号Ｉｃｈ１０７及びＱｃｈ１０８の±ｆｓ／８及び±ｆｓ／１２ずれ疑似引き込み検出を行うことはできるが、図３の（ｂ）のような±ｎ
＊ｆｓ／４（ｎ＝１，２・・・）ずれの疑似引き込みの検出を行うことができない。
【００４３】
そこで、続いて、±ｎ ＊ｆｓ／４（ｎ＝１，２・・・）ずれの疑似引き込みを検出するための動作について説明する。
【００４４】
上述した通り、発振器２は変調器の発振器に近い周波数で自走しているが、今、位相回転器４から最初の再生信号Ｉｃｈ１０７及びＱｃｈ１０８が生成され、変調器の発振器と復調器の発振器との間には差分としての周波数の位相回転が残っているので、ＣＡＲＲ
ＰＤ５及びＣＡＲＲ ＬＰＦ６とでこの差分に相当する制御値を求め、ＣＡＲＲ ＡＰＣ信号１１８として出力する。
【００４５】
ＡＰＣ信号領域判定回路８は、このＣＡＲＲ ＡＰＣ信号１１８を受信し、図５の斜線範囲にいるＣＡＲＲ
ＡＰＣ信号１１８の割合を求め、±ｎ ＊ｆｓ／４(ｎ＝１，２・・・)ずれの疑似引き込み検出を行う。
【００４６】
同期・非同期検出回路１０は、Ｃ／Ｎ推定回路９で求めたＣ／Ｎ ＡＬＡＲＭ信号１１２と、受信信号領域判定回路１２で求めた疑似引きこみ検出信号１１３と、ＡＰＣ信号領域判定回路８で求めた疑似引きこみ信号１１４のＯＲをとり、非同期検出信号１１５を出力する。
【００４７】
間欠リセット信号発生回路１１は、一定周期でリセットパルスを発生させる回路である。間欠リセット信号発生回路１１は、同期・非同期検出回路１０で発生した非同期検出信号１１５を受信した時に、ＣＡＲＲ
ＬＰＦ７に間欠リセット信号１１６を送り、間欠リセットをかける。
【００４８】
尚、本発明は、ＱＰＳＫに限らず、ＰＳＫ（Phase Sift
Keying）や多値ＱＡＭ等に適用しても良い。この場合、受信領域判定回路１２の擬似引き込みを検出する際の領域を適宜変更すればよい。
【００４９】
また、上述した実施例では、基準信号と入力信号との差分を位相回転器４に入力させ、この差分を用いて位相回転器４が入力信号を制御していたが、図６に示すように、この差分を発振器２に入力させ、再生搬送波を制御する構成であっても良い。
【００５０】
上述したように、本発明の復調器を用いると、フレーム同期回路のフレーム非同期信号を用いずに済み、信号の再引き込みから同期判定までの時間を大幅に短縮することができるようになる。
【００５１】
又、本発明は、擬似引き込みの検出に、受信信号領域判定回路１２とＡＰＣ信号領域判定回路８とを併用することで、すべての信号の疑似引き込みに関して、その検出を行うことができる。
【図面の簡単な説明】
【００５２】
【図１】本発明の復調器を示すブロック図である。
【図２】受信信号領域判定回路における領域分けを示す図である。
【図３】ＱＰＳＫにおける擬似引き込みの一例を示す図である。
【図４】ＱＰＳＫにおける擬似引き込みの状態を説明するための図である。
【図５】ＣＡＲＲ ＡＰＣ信号の一例を示す図である。
【図６】本発明の復調器を示すブロック図である。
【図７】従来の復調器を示すブロック図である。
【符号の説明】
【００５３】
１      直行検波器
２      発振器
３      アナログ・ディジタル変換器（Ａ／Ｄ）
４      位相回転器
５      搬送波位相検波器（ＣＡＲＲ ＰＤ）
６      搬送波ループフィルタ（ＣＡＲＲ ＬＰＦ）
７      数値制御発振器
７      ＡＰＣ（Automatic Phase Control）信号領域判定回路
９      Ｃ／Ｎ推定回路
１０    同期・非同期検出回路
１１    間欠リセット信号発生回路
１２    受信信号領域判定回路
【図１】
2006157186.tif 000003
【図２】
2006157186.tif 000004
【図３】
2006157186.tif 000005
【図４】
2006157186.tif 000006
【図５】
2006157186.tif 000007
【図６】
2006157186.tif 000008
【図７】
2006157186.tif 000009